【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、正又は負の屈折力の第４レンズ群を有し、ズーミングに際して各レンズ群が移動するズームレンズであって、広角端と望遠端における全系の焦点距離を各々ｆＷ、ｆＴ、前記第１レンズ群と前記第２レンズ群の焦点距離を各々ｆ１、ｆ２、ズーミングに際して前記第１レンズ群が最も物体側に移動したときの位置と広角端における前記第１レンズ群の位置との距離をｍ１、前記第１レンズ群と前記第２レンズ群のズーミング時の最大間隔と、広角端における前記第１レンズ群と前記第２レンズ群の間隔との差をＸ１とするとき、
１．３＜ｆ１／√（ｆＷ×ｆＴ）＜２．１
０．２＜｜ｆ２｜／√（ｆＷ×ｆＴ）＜０．４
０．３０＜ｍ１／Ｘ１＜０．７５
なる条件を満足することを特徴とするズームレンズ。
【請求項２】
Ｚ＝ｆＴ／ｆＷ
０．１＜Ｘ１／（｜ｆ２｜×Ｚ）＜０．２
なる条件式を満足することを特徴とする請求項１に記載のズームレンズ。
【請求項３】
２．０＜ｆＴ／ｆ１＜５．０
なる条件を満足することを特徴とする請求項１又は２に記載のズームレンズ。
【請求項４】
０．０７＜ｆＷ／ｆ１＜０．１３
なる条件を満足することを特徴とする請求項１乃至３のいずれか１項に記載のズームレンズ。
【請求項５】
０．２＜Ｘ１／ｆＴ＜０．３５
なる条件を満足することを特徴とする請求項１乃至４のいずれか１項に記載のズームレンズ。
【請求項６】
−７．０＜ｆ１／ｆ２＜−５．０
なる条件を満足することを特徴とする請求項１乃至５のいずれか１項に記載のズームレンズ。
【請求項７】
前記第２レンズ群は、物体側から像側へ順に、負レンズ、負レンズ、正レンズを有し、非球面を含むことを特徴とする、請求項１乃至６のいずれか１項に記載のズームレンズ。
【請求項８】
前記第１レンズ群は、物体側から像側へ順に、負レンズ、正レンズ、正レンズを有し、非球面を含むことを特徴とする、請求項１乃至７のいずれか１項に記載のズームレンズ。
【請求項９】
広角端から望遠端へのズーミングに際して、前記第１レンズ群は、広角端に比べて望遠端において物体側に位置するように、像側へ移動した後に物体側へ移動し、前記第２レンズ群は像側へ移動し、前記第３レンズ群は物体側へ移動し、前記第４レンズ群は物体側へ凸状の軌跡を描いて移動することを特徴とする請求項１乃至８のいずれか１項に記載のズームレンズ。
【請求項１０】
請求項１乃至９のいずれか１項に記載のズームレンズと、該ズームレンズによって形成される像を受光する固体撮像素子とを有することを特徴とする撮像装置。
【手続補正２】
【補正対象書類名】明細書
【補正対象項目名】００１５
【補正方法】変更
【補正の内容】
【００１５】
本発明のズームレンズは、物体側より像側へ順に、正の屈折力の第１レンズ群、負の屈折力の第２レンズ群、正の屈折力の第３レンズ群、正又は負の屈折力の第４レンズ群を有し、ズーミングに際して各レンズ群が移動するズームレンズであって、広角端と望遠端における全系の焦点距離を各々ｆＷ、ｆＴ、前記第１レンズ群と前記第２レンズ群の焦点距離を各々ｆ１、ｆ２、ズーミングに際して前記第１レンズ群が最も物体側に移動したときの位置と広角端における前記第１レンズ群の位置との距離をｍ１、前記第１レンズ群と前記第２レンズ群のズーミング時の最大間隔と、広角端における前記第１レンズ群と前記第２レンズ群の間隔との差をＸ１とするとき、
１．３＜ｆ１／√（ｆＷ×ｆＴ）＜２．１
０．２＜｜ｆ２｜／√（ｆＷ×ｆＴ）＜０．４
０．３０＜ｍ１／Ｘ１＜０．７５
なる条件を満足することを特徴としている。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００４９
【補正方法】変更
【補正の内容】
【００４９】
１．３＜ｆ１／√（ｆＷ×ｆＴ）＜２．１        ・・・（１）
０．２＜｜ｆ２｜／√（ｆＷ×ｆＴ）＜０．４    ・・・（２）
【手続補正６】
【補正対象書類名】明細書
【補正対象項目名】００７４
【補正方法】変更
【補正の内容】
【００７４】
１．４＜ｆ１／√（ｆＷ×ｆＴ）＜２．０      ・・・（１ａ）
０．２５＜｜ｆ２｜／√（ｆＷ×ｆＴ）＜０．３６      ・・・（２ａ）
【手続補正７】
【補正対象書類名】明細書
【補正対象項目名】０１４７
【補正方法】変更
【補正の内容】
【０１４７】
但し、0≦x≦1  x=0は広角端 x=1は望遠端なる式で表している。像面側を正とする。
数値実施例  1
ｆ＝ 4.92〜127.52  Ｆｎｏ＝ 2.8〜5.6   ２ω＝75.8°〜3.4°
面番号       r        d      nd         νd       有効径
1         57.354    1.70   1.84666    23.9       38.31
2         36.789    5.79   1.43875    95.0       35.01
3       -365.826    0.10                         33.86
4*        29.485    4.81   1.61800    63.3       32.65
5        231.881  (可変)                         32.32
6*      -111.480    1.00   2.00330    28.3       15.43
7*         9.244    3.64                         11.56
8        -17.150    0.90   1.62041    60.3       11.21
9         13.623    0.00                         10.95
10         13.623    1.92   1.92286    18.9       10.95
11       -132.561  (可変)                         10.81
12(絞り)    ∞     (可変)                          6.21
13*         7.374    3.49   1.80100    35.0        8.92
14        405.249    0.70                          8.27
15*        40.401    0.60   2.00330    28.3        7.78
16          4.573    2.83   1.49700    81.5        6.97
17          ∞     (可変)                          7.25
18*        23.251    1.87   1.83481    42.7        9.56
19        -16.973    0.50   1.84666    23.9        9.55
20        -65.640  (可変)                          9.53
21          ∞       0.75   1.51633    64.1        9.16
22          ∞       3.55                          9.00
非球面データ
第4面
K = 2.06781e-001  A 4=-1.88626e-006  A 6=-3.06976e-009
A 8= 4.86779e-013  A10=-8.96638e-015  
第6面
K = 1.69656e+002  A 4=-8.87159e-005  A 6= 7.53209e-006
A 8=-1.17061e-007  A10= 6.79500e-010  
第7面
K = 8.43206e-001  A 4=-3.10567e-004  A 6= 3.13866e-006
A 8= 2.25259e-007  A10=-6.66218e-009  
第13面
K =-1.09108e+000  A 4= 2.16722e-004  A 6= 2.10787e-006
A 8=-3.49500e-008  A10=-1.79005e-009  
第15面
K =-1.76434e+002  A 4= 2.98374e-004  A 6=-1.23138e-005  A 8= 5.76075e-007  A10=
-1.05209e-009  
第18面
K = 3.36325e+000  A 4=-1.60088e-005  A 6=-9.53894e-007  A 8= 3.38021e-008  A10=
-3.27966e-010  
各種データ
ズーム比     25.91 
広角     中間     望遠
焦点距離       4.92    12.34   127.52  
Fナンバー      2.54     3.52     5.64  
半画角（度）   37.89    17.25     1.72  
像高           3.83     3.83     3.83  
レンズ全長    80.20    83.25    90.70
BF             9.86    12.93     4.13  in air
d 5            0.85    11.48    28.25  
d11           22.29    15.80     0.65  
d12           10.82     2.91     1.16  
d17            6.26    10.04    26.39  
d20            5.82     8.89     0.09

入射瞳位置    20.33    49.35   236.55  
射出瞳位置   284.51   -90.00    60.99  
前側主点位置  25.33    60.06   647.14  
後側主点位置  -1.38    -8.79  -123.97  
ズームレンズ群データ
群  始面    焦点距離  レンズ構成長  前側主点位置  後側主点位置
1    5      43.58        12.40         3.56         -4.57
2   11      -8.04         7.46         0.46         -5.34
3   12       ∞           0.00         0.00          0.00
4   17      20.07         7.62        -5.25         -8.37
5   20      21.04         2.37         0.33         -0.97
6   22       ∞           0.75         0.25         -0.25
移動係数
1群： a1= 5.62849e+01  a2=-2.8118727e+02  a3= 3.7807626e+02  a4= 8.537479e+01
a5=-8.0703646e+02  a6=8.7247665e+02 a7=-3.1447399e+02
2群： a1= 4.88489e+02  a2=-2.0925259e+02  a3= 4.2964918e+02  a4= -2.602403e+02
a5= 1.1794277e+02 a6=1.5624545e+02 a7=-3.040564e+01
絞り群：     a1= 1.297543e+01 a2= -2.693439e+01 a3=9.21743e+01
３群： a1= 1.440613e+01 
数値実施例  2
ｆ＝ 4.47〜128.98  Ｆｎｏ＝ 2.8〜5.6   ２ω＝81.2°〜3.4°
面データ
面番号       r        d      nd         νd       有効径
1*        52.332    1.70   1.84666    23.9       38.68
2         35.313    0.30                         36.24
3         35.689    5.66   1.43875    95.0       36.32
4        740.998    0.10                         36.17
5*        31.803    4.99   1.61800    63.3       35.11
6        191.478  (可変)                         34.74
7*       -72.080    1.00   2.00330    28.3       15.44
8*         9.925    3.51                         11.29
9        -17.186    0.90   1.62041    60.3       10.81
10         13.285    1.66   1.92286    18.9       10.27
11       -195.321  (可変)                         10.10
12(絞り)    ∞     (可変)                          5.85
13*         7.381    3.52   1.80100    35.0        9.78
14        868.366    0.70                          9.20
15*        33.106    0.60   2.00330    28.3        8.63
16          4.669    3.03   1.49700    81.5        7.59
17          ∞     (可変)                          7.89
18*        21.826    2.40   1.83481    42.7       10.05
19        -10.216    0.50   1.84666    23.9       10.06
20        -34.417  (可変)                         10.14
21          ∞       0.75   1.51633    64.1        8.87
22          ∞       1.15                          8.66
非球面データ
第1面
K =-1.57262e-002  A 4= 6.81543e-007  A 6=-9.36881e-010
A 8=-1.39653e-013  A10= 4.90456e-016  
第5面
K =-5.95662e-001  A 4= 7.38431e-007  A 6= 2.08348e-009
A 8= 1.39412e-012  A10= 9.59382e-016  
第7面
K = 7.17114e+001  A 4= 5.80513e-005  A 6= 6.28084e-006
A 8=-1.19491e-007  A10= 8.08601e-010  
第8面
K = 1.29222e+000  A 4=-1.83147e-004  A 6= 3.55306e-006
A 8= 2.39677e-007  A10=-7.25182e-009  
第13面
K =-8.27241e-001  A 4= 1.28383e-004  A 6= 1.21406e-006
A 8= 3.87356e-008  A10=-3.42505e-009  
第15面
K =-1.33024e+002  A 4= 3.48819e-004  A 6=-1.90377e-005
A 8= 7.46050e-007  A10=-2.41929e-009  
第18面
K = 4.36999e+000  A 4=-4.16141e-005  A 6=-1.50184e-006
A 8= 4.60880e-008  A10=-5.89428e-010  
各種データ
ズーム比     30.27 
広角     中間     望遠
焦点距離       4.41    11.20   133.55  
Fナンバー      2.08     3.02     5.76  
半画角（度）   40.96    18.88     1.64  
像高           3.83     3.83     3.83  
レンズ全長    70.66    75.01    93.59  
BF             8.34    11.49     2.30 in air
d 6            0.64    11.65    33.48  
d11           16.10    10.00     0.32  
d12           10.84     2.76     0.89  
d17            3.91     8.27    25.76  
d20            6.70     9.85     0.66  

入射瞳位置    19.23    44.26   280.61  
射出瞳位置    52.53  -214.25    33.06  
前側主点位置  24.02    54.88   973.19  
後側主点位置  -3.26   -10.05  -132.40  
ズームレンズ群データ
群  始面    焦点距離  レンズ構成長  前側主点位置  後側主点位置
1    6      49.89        12.75         3.32         -5.10
2   11      -8.01         7.07         0.51         -4.97
3   12       ∞           0.00         0.00          0.00
4   17      17.75         7.85        -4.25         -7.81
5   20      16.59         2.90         0.62         -1.00
6   22       ∞           0.75         0.25         -0.25
移動係数
1群： a1= 5.533171e+01  a2=-283.60652  a3= 377.7226  a4= 82.66618
a5=-811.2846  a6=870.53969  a7=-314.29804
2群： a1= 47.59204  a2=-207.38794  a3= 426.03454  a4= -271.20819
a5=-109.24664 a6=158.87519  a7=-34.74995
絞り群：     a1= 13.22425  a2=-31.00847  a3=11.90843
３群：      a1= -15.8232       
数値実施例  3
ｆ＝ 4.34〜128.99  Ｆｎｏ＝ 2.8〜5.6   ２ω＝82.9°〜3.4°
面データ
面番号       r        d      nd         νd       有効径
1         56.765    1.70   1.84666    23.9       38.83
2         36.943    5.72   1.43875    95.0       35.49
3       -422.109    0.10                         35.38
4*        30.320    5.16   1.61800    63.3       34.07
5        217.098  (可変)                         33.64
6*       -66.412    1.00   2.00330    28.3       16.06
7*         8.486    3.77                         11.89
8        -21.436    0.90   1.62041    60.3       11.60
9         14.912    2.04   1.92286    18.9       11.33
10        -64.874  (可変)                         11.19
11(絞り)    ∞     (可変)                          6.17
12*         7.507    3.68   1.80100    35.0       11.78
13        234.148    0.70                         11.14
14*        90.643    0.60   2.00330    28.3       10.28
15          5.015    3.60   1.49700    81.5        8.62
16          ∞     (可変)                          8.95
17*        25.113    4.16   1.81600    46.6       13.69
18        -11.264    0.50   1.84666    23.9       13.76
19        -22.082  (可変)                         13.93
20          ∞       0.75   1.51633    64.1        9.81
21          ∞       3.48                          9.55
非球面データ
第4面
K =-6.90232e-001  A 4= 2.08798e-006  A 6= 1.52470e-009
A 8=-1.66372e-012  A10= 4.95226e-015  
第6面
K = 5.35670e+001  A 4= 3.77703e-005  A 6= 4.79667e-006
A 8=-8.42688e-008  A10= 5.07479e-010  
第7面
K = 3.96248e-001  A 4=-2.52616e-004  A 6= 1.86061e-006
A 8= 2.44011e-007  A10=-6.90715e-009  
第12面
K =-1.21201e+000  A 4= 3.04721e-004  A 6= 2.56533e-006
A 8= 1.20723e-008  A10= 2.37557e-011  
第14面
K =-1.34917e+003  A 4= 4.18104e-005  A 6=-1.16105e-005
A 8= 4.11624e-007  A10=-4.08921e-009  
第17面
K = 1.58077e-001  A 4=-5.01736e-005  A 6= 1.26146e-007
A 8=-1.59819e-009  A10= 1.42237e-011  
各種データ
ズーム比     29.74 
広角     中間     望遠
焦点距離       4.34     8.59   128.99  
Fナンバー      2.09     2.61     5.55  
半画角（度）   41.45    24.02     1.70  
像高           3.83     3.83     3.83  
レンズ全長    79.63    82.50    97.08  
BF             9.40    11.55     4.49 in air
d 5            0.80     7.67    29.70  
d10           18.92    11.47     0.22  
d11           12.99     7.17     0.73  
d16            3.63    10.75    28.04  
d19            5.43     7.58     0.52  

入射瞳位置    19.62    34.03   261.21  
射出瞳位置    35.56    38.12    25.25  
前側主点位置  24.54    44.75   1154.56  
後側主点位置  -0.85    -5.11  -125.50  
ズームレンズ群データ
群  始面    焦点距離  レンズ構成長  前側主点位置  後側主点位置
1    5      44.91        12.68         3.37         -4.91
2   10      -8.32         7.72        -0.04         -6.38
3   11       ∞           0.00         0.00          0.00
4   16      22.91         8.58        -6.49         -9.83
5   19      15.35         4.66         1.41         -1.27
6   21       ∞           0.75         0.25         -0.25
移動係数
1群： a1= 4.25794  a2=-21.65279  a3= -0.05565  
a5=-1.26975e+02
2群： a1= 7.41311  a2= 0.4321  a3= 3.60441  
絞り群：     a1=-7.25452
3群：  a1=-19.51774
数値実施例  4
ｆ＝ 4.97〜126  Ｆｎｏ＝ 2.8〜5.6   ２ω＝75.27°〜3.48°
面データ
面番号       r        d      nd         νd       有効径
1         57.784    1.70   1.84666    23.9       38.60
2         37.001    5.84   1.43875    95.0       35.27
3       -388.123    0.10                         34.20
4*        29.876    4.92   1.61800    63.3       33.00
5        233.561  (可変)                         32.63
6*       -98.433    1.00   2.00330    28.3       15.24
7*         9.310    3.59                         11.48
8        -17.835    0.90   1.62041    60.3       11.08
9         13.531    0.00                         10.78
10         13.531    1.91   1.92286    18.9       10.78
11       -134.564  (可変)                         10.63
12(絞り)    ∞       0.45                          6.05
13          ∞     (可変)                          6.11
14*         7.377    3.50   1.80100    35.0        8.97
15        413.990    0.70                          8.34
16*        41.627    0.60   2.00330    28.3        7.86
17          4.613    2.90   1.49700    81.5        7.06
18          ∞     (可変)                          7.36
19          ∞       0.00                          9.07
20*        22.498    1.98   1.83481    42.7        9.19
21        -13.537    0.50   1.84666    23.9        9.19
22        -51.406  (可変)                          9.19
23        -26.164    0.36   1.62230    53.2        8.67
24         41.529    1.00   1.84666    23.8        8.59
25        -73.346  (可変)                          8.53
26          ∞       0.75   1.51633    64.1        8.41
27          ∞       1.64                          8.27
非球面データ
第4面
K = 7.52034e-002  A 4=-1.16875e-006  A 6=-2.05357e-009
A 8= 9.48576e-013  A10=-4.90152e-015  
第6面
K = 1.32531e+002  A 4=-8.38834e-005  A 6= 7.62158e-006
A 8=-1.18917e-007  A10= 6.93660e-010  
第7面
K = 8.23986e-001  A 4=-3.05144e-004  A 6= 3.29599e-006
A 8= 2.27809e-007  A10=-6.48283e-009  
第14面
K =-1.18873e+000  A 4= 2.41591e-004  A 6= 1.85870e-006
A 8=-3.24702e-008  A10=-1.94938e-009  
第16面
K =-1.96842e+002  A 4= 3.03909e-004  A 6=-1.26447e-005
A 8= 6.04723e-007  A10=-1.56082e-009  
第20面
K = 1.52007e+000  A 4=-1.35608e-006  A 6=-6.49901e-007
A 8= 2.67182e-008  A10=-1.23379e-010  
各種データ
ズーム比     25.36 
広角     中間     望遠
焦点距離       4.97    12.78   126.00  
Fナンバー      2.51     3.51     5.60  
半画角（度）   37.63    16.68     1.74  
像高           3.83     3.83     3.83  
レンズ全長    77.70    80.60    90.09  
BF             3.13     4.41     2.45 in air
d 5            0.92    11.67    28.86  
d11           20.68    13.71     0.47  
d13           10.02     2.41     0.50  
d18            4.51     8.04    24.60  
d22            6.22     8.15     1.00  
d25            1.00     2.28     0.32  

入射瞳位置    20.40    49.08   241.32  
射出瞳位置  -279.49   -53.00    80.42  
前側主点位置  25.28    58.87   568.82  
後側主点位置  -3.33   -11.14  -124.36  
ズームレンズ群データ
群  始面    焦点距離  レンズ構成長  前側主点位置  後側主点位置
1    5      44.28        12.56         3.57         -4.65
2   11      -8.14         7.41         0.41         -5.36
3   13       ∞           0.45         0.23         -0.23
4   18      20.00         7.70        -5.23         -8.40
5   22      19.26         2.48         0.41         -0.96
6   25    -150.74         1.36        -1.51         -2.30
7   27       ∞           0.75         0.25         -0.25
移動係数
1群： a1= 56.02045  a2=-279.8192  a3= 378.02135  a4= 85.41706
a5=-806.87362 a6=-314.41091
2群： a1= 48.72197  a2=-207.60331  a3= 429.81843  a4= -260.19698
a5=-119.62262 a6=154.95639  a7=-30.52476
絞り群：     a1= 12.4521   a2=-27.08363  a3=9.96833
３群：      a1=-14.18547
5群：  a1=-7.16688 a2=10.84144   a3=-2.99156
数値実施例  5
ｆ＝ 4.93〜128  Ｆｎｏ＝ 2.8〜5.6   ２ω＝75.74°〜3.43°
面データ
面番号       r        d      nd         νd       有効径
1         57.175    1.70   1.84666    23.9       38.48
2         36.572    5.75   1.43875    95.0       35.13
3       -478.949    0.10                         34.21
4*        30.000    4.98   1.61800    63.3       33.06
5        252.025  (可変)                         32.68
6*       -90.229    1.00   2.00330    28.3       15.27
7*         9.357    3.48                         11.58
8        -19.074    0.90   1.62041    60.3       11.25
9         13.515    0.00                         10.94
10         13.515    1.94   1.92286    18.9       10.94
11       -131.736    0.00                         10.79
12          ∞     (可変)                         10.73
13(絞り)    ∞     (可変)                          6.10
14*         7.241    3.57   1.80100    35.0        9.15
15        209.387    0.70                          8.42
16*        48.547    0.60   2.00330    28.3        7.91
17          4.621    2.96   1.49700    81.5        7.10
18          ∞     (可変)                          7.45
19*        22.015    3.12   1.83481    42.7       11.02
20        -13.113    0.50   1.84666    23.9       11.00
21        -50.136  (可変)                         10.99
22        128.008    1.00   1.84666    23.9        8.79
23        -39.986    0.50   1.83481    42.7        8.69
24       -761.335  (可変)                          8.60
25          ∞       0.75   1.51633    64.1        8.14
26          ∞       0.14                          8.03
非球面データ
第4面
K =-2.86945e-001  A 4= 4.16214e-007  A 6= 2.67932e-010
A 8=-7.20494e-013  A10= 2.60443e-015  
第6面
K = 1.09096e+002  A 4=-9.84834e-005  A 6= 8.25521e-006
A 8=-1.31249e-007  A10= 7.68951e-010  
第7面
K = 8.55721e-001  A 4=-3.42147e-004  A 6= 4.47430e-006
A 8= 2.18010e-007  A10=-7.31836e-009  
第14面
K =-1.18516e+000  A 4= 2.92303e-004  A 6= 2.55547e-006
A 8= 8.04274e-009  A10=-1.67373e-009  
第16面
K =-3.09369e+002  A 4= 2.17223e-004  A 6=-1.50751e-005
A 8= 5.72254e-007  A10=-1.43491e-009  
第19面
K = 1.14824e+000  A 4= 4.01887e-006  A 6=-9.38420e-007
A 8= 3.92096e-008  A10=-4.61768e-010  
各種データ
ズーム比     25.98 
広角     中間     望遠
焦点距離       4.93    11.57   127.97  
Fナンバー      2.41     2.85     5.66  
半画角（度）   37.87    18.32     1.71  
像高           3.83     3.83     3.83  
レンズ全長    78.75    82.18    90.53  
BF             2.63     2.74     0.82  in air
d 5            0.95    11.36    28.96  
d12           20.72    11.00     0.71  
d13           10.36     6.94     1.14  
d18            5.02     8.51    25.28  
d21            6.00     8.57     0.54  
d24            2.00     2.10     0.18  

入射瞳位置    20.51    46.70   243.48  
射出瞳位置    80.70   112.56    32.81  
前側主点位置  25.73    59.46   872.78  
後側主点位置  -4.78   -11.42  -127.82  
ズームレンズ群データ
群  始面    焦点距離  レンズ構成長  前側主点位置  後側主点位置
1    5      44.45        12.54         3.52         -4.68
2   12      -8.35         7.32         0.33         -5.38
3   13       ∞           0.00         0.00          0.00
4   18      20.43         7.83        -5.68         -8.74
5   21      18.97         3.62         0.60         -1.41
6   24     125.00         1.50         0.13         -0.68
7   26       ∞           0.75         0.25         -0.25
移動係数
1群： a1= 55.91685  a2=-281.65956 a3= 377.0706  a4= 85.42354
a5= -807.02532     a6= 872.66939      a7=-314.17599
2群： a1= 46.70509  a2=-207.38897  a3= 429.63739  a4= -260.16086
a5=-117.30415 a6=155.35564  a7=-30.60762
絞り群：     a1= 10.15564  a2=-51.26070  a3=37.34052
3群：  a1=-12.98495
5群：  a1=-2  a2=3.68753    a3=0.12936
数値実施例  6
ｆ＝ 4.92〜126.95  Ｆｎｏ＝ 2.8〜5.6   ２ω＝75.8°〜3.45°
面データ
面番号       r        d      nd         νd       有効径
1         58.187    1.70   1.84666    23.9       38.59
2         36.821    5.65   1.43875    95.0       35.21
3       -712.478    0.10                         34.49
4*        29.655    5.14   1.61800    63.3       33.41
5        269.732  (可変)                         33.05
6*       -85.922    1.00   2.00330    28.3       15.41
7*         9.077    3.50                         11.66
8        -20.738    0.90   1.62041    60.3       11.37
9         13.702    1.97   1.92286    18.9       11.09
10       -127.930  (可変)                         10.95
11(絞り)    ∞     (可変)                          6.04
12*         7.222    3.43   1.80100    35.0        8.80
13       -617.888    0.70                          8.16
14*        41.286    0.60   2.00330    28.3        7.62
15          4.543    2.76   1.49700    81.5        6.84
16          ∞     (可変)                          7.09
17        -84.499    0.50   1.60738    56.8        8.07
18         37.497    1.00   1.84666    23.8        8.28
19         48.818  (可変)                          8.46
20*        17.738    3.05   1.83481    42.7       10.89
21        -10.514    0.50   1.84666    23.9       10.88
22        -42.554  (可変)                         10.88
23          ∞       0.75   1.51633    64.1        9.33
24          ∞       2.82                          9.11
非球面データ
第4面
K =-2.41603e-002  A 4=-8.76099e-007  A 6=-1.50853e-009
A 8= 6.91363e-013  A10=-3.33549e-015  
第6面
K = 9.81564e+001  A 4=-7.71852e-005  A 6= 7.31146e-006
A 8=-1.18980e-007  A10= 7.21908e-010  
第7面
K = 7.48559e-001  A 4=-3.19709e-004  A 6= 3.32702e-006
A 8= 1.95375e-007  A10=-6.86119e-009  
第12面
K =-1.17003e+000  A 4= 2.64991e-004  A 6= 2.54344e-006
A 8=-2.45797e-008  A10=-1.84054e-009  
第14面
K =-1.92304e+002  A 4= 2.46450e-004  A 6=-1.44708e-005 
A 8= 5.51061e-007  A10= 1.28868e-009  
第20面
K = 3.56498e+000  A 4=-9.16560e-005  A 6=-1.44839e-006 
A 8= 4.03677e-008  A10=-9.21119e-010  
各種データ
ズーム比     25.81 
広角     中間     望遠
焦点距離       4.92    11.85   126.95  
Fナンバー      2.51     3.51     5.62  
半画角（度）   37.90    17.91     1.73  
像高           3.83     3.83     3.83  
レンズ全長    78.27    81.54    90.71  
BF             9.07    11.16     3.69  in air
d 5            0.94    10.98    29.22  
d10           21.49    15.34     0.68  
d11            9.83     2.69     1.07  
d16            2.59     7.43     4.86  
d19            1.58     1.18    18.44  
d22            5.76     7.85     0.38  

入射瞳位置    20.46    46.57   249.32  
射出瞳位置   575.87   -95.08    33.06  
前側主点位置  25.42    56.99   909.19  
後側主点位置  -2.10    -9.02  -124.13  
ズームレンズ群データ
群  始面    焦点距離  レンズ構成長  前側主点位置  後側主点位置
1    5      44.59        12.59         3.51         -4.72
2   10      -8.33         7.36         0.26         -5.52
3   11       ∞           0.00         0.00          0.00
4   16      18.40         7.49        -4.70         -7.88
5   19     -55.00         1.50         0.70         -0.15
6   22      15.60         3.55         0.57         -1.41
7   24       ∞           0.75         0.25         -0.25
移動係数
1群： a1= 55.89997  a2=--281.27812  a3= 378.07634  a4= 85.37474
a5=-807.17461  a6= 871.62446  a7=-314.96604  
2群： a1= 46.88367  a2=-208.63785  a3= 429.64133  a4= -260.24021
a5=-117.94269  a6= 155.83755  a7=-29.70786
絞群： a1= 11.29468  a2=-25.36121  a3= 9.08227  
３群：        a1= -13.74436  a2= 6.35404  a3=-14.53891